(57)【要約】【課題】初めて着物を着る人においても簡単に着装することができ、着崩れしにくく、長時間の着用に耐え得る、従来の和服の着姿を損なうことのない、簡易長着を提供することが、本発明の課題である。【解決手段】本発明において、身丈(8)を対丈とし、前後身頃の胴部両脇、脇線(9、10)からそれぞれ所定の位置に、脇線に対して実質的に平行となる所定の長さのタック(11)を設け、および下前身頃の胴部表面と上前身頃の胴部裏面に、一対のベルベット式ファスナーを取り付け、該ベルベット式ファスナーの係止により、前記着物を身体に適合して着用する簡易長着を提供することにより、前記課題を解決した。【選択図】図１
2006028674.tif 000002
【特許請求の範囲】
【請求項１】
対丈に形成された長着であって、前身頃の胴部両脇、脇線から０．５〜１．５ｃｍの位置に、脇線に対して実質的に平行となる７〜１４ｃｍ長のタックが設けられており、後身頃の胴部両脇、脇線から１．５〜３．５ｃｍの位置に脇線に対して実質的に平行となる７〜１４ｃｍ長のタックが設けられていること、および下前身頃の胴部表面と上前身頃の胴部裏面に、一対のベルベット式ファスナーが取付けられており、該ベルベット式ファスナーの係止により、前記長着が身体に適合して着用できるものであることを特徴とする簡易長着。
【請求項２】
前記着物の肩山が、衿付け位置から４〜９ｃｍ位置まで裾に実質的に平行であり、その後肩先までダーツが設けられ、肩先部で、衿付け位置より０．８〜２ｃｍ下がった状態となっている、請求項１記載の簡易長着。
【請求項３】
衿先の角度が１２０〜１５０°であることをさらに特徴とする、前記請求項いずれか１項記載の長着。
【発明の詳細な説明】
【技術分野】
【０００１】
本発明は、簡易に装着でき、着崩れしにくい長着、例えば、振袖や留袖、袷、単衣、浴衣などに関するものである。
【背景技術】
【０００２】
和服、即ち着物は、直線裁断および直線縫製されている。ここで、当然ながら、着る人は曲線で着物は直線形態である。そのために、自由な着こなしが出来る一方で、衣紋道以来、着装（着付け）の文化があり、人々は、正装においてとりわけ、曲線形態の体に直線形態の着物を適合させる技術を伝承してきた。着付技術とは、概して、以下のようである。
【０００３】
まず、着物を羽織り、両肩に掛けてから袖を通す。衿先を両手でもち、持ったところから下全体を持ち上げ、裾線を床に接するほどの長さに決める。下前の上に上前を合わせ、腰紐を閉め、結ぶ。その後、両脇の身八つ口から手を入れ、後ろ前のおはしょりを整える。その後、左右の掛け衿を合わせて背中心を合わせる。長襦袢の衿にそって、伊達衿が見えるようにしながら下前の衿を整える。ベルトを用いて下前および上前の衿を止めた後、背中の皺をとる。衿の合わせ具合は、着る人の体型によって調節する。次に、腰紐の上からおはしょりが嵩張ることのないよう気をつけながら、しっかりと帯を締める。
【０００４】
おはしょりの適当な処理、適当な下紐の締め方、衿の整え方等を含む着付け技術を会得して、短時間で着物を装着し、かつ美しく着こなせるようになるには、時間も気力も必要とされる。曲線形態の人の体に無理なく適合するように曲線裁断および曲線縫製されており、特に複雑な形態のものを除き、装着が容易で、装着後の着崩れも少ない等の利点を備えた洋服が大量に市場に出回る中、着物の需要低下が懸念されている。
【０００５】
【特許文献１】特開２００３−１８３９０９号
【特許文献２】実用新案登録第３０３０４０５号
【特許文献３】特許第２８０２５８５号
【発明の開示】
【発明が解決しようとする課題】
【０００６】
前記のごとく、装着および着こなしが難しいことが、人々を着物を着ることから遠ざける一因となっている。従来も、ウエスト付近を装着者の体型に倣って絞って、着付けに際しての余分な布部分の始末を不要とし、ウエスト付近、後身身頃から前身頃およびおくみにかけてベルトを裁着して上下前の始末を簡略化し、さらに当該ベルトの両端に設けた留め具を係止することにより上下前身頃を重ねる着物（特許文献１）や、上部および下部と、着物を分割する構成をとることにより装着の容易化を図った着物（特許文献２）など、簡単に着用できる着物が提供されている。しかし、特許文献１記載の着物のごとく、ベルトの両端の留め具による係止では、どうしても着物ウエスト付近の安定性に欠ける問題点がある。また、特許文献２記載の着物のごとく、分割した構成では、上部と下部がずれることのないよう注意を要し、特に時間が経つほどに上下のずれが生じ易くなる問題点がある。即ち、初めて着物を着る人においても簡単に着装することができ、着崩れしにくく、長時間の着用に耐え得る、長着本来の外観を損なうことのない、簡易長着を提供することが、本発明の課題である。
【課題を解決するための手段】
【０００７】
本発明においては、身丈を対丈とし、前後身頃の胴部両脇、脇線からそれぞれ所定の位置に、脇線に対して実質的に平行となる所定の長さのタックを設け、および下前身頃の胴部表面と上前身頃の胴部裏面に、一対のベルベット式ファスナーを取り付け、該ベルベット式ファスナーの係止により、前記着物を身体に適合して着用する長着を提供することにより、今回初めて、前記課題を解決した。
【０００８】
即ち、本発明の長着は、身丈を対丈とし、前身頃の胴部両脇、脇線から０．５〜１．５ｃｍ、好ましくは０．５〜１．０ｃｍの位置に、脇線に対して実質的に平行となる７〜１４ｃｍ長、好ましくは９〜１１ｃｍ長のタックを設け、後身頃の胴部両脇、脇線から１．５〜３．５ｃｍ、好ましくは２〜３ｃｍの位置に、脇線に対して実質的に平行となる７〜１４ｃｍ長、好ましくは９〜１１ｃｍ長のタックを設け、および下前身頃の胴部表面と上前身頃の胴部裏面に、一対のベルベット式ファスナーを取り付け、該ベルベット式ファスナーの係止により、前記着物を身体に適合して、簡単に着用可能となるものである。
【０００９】
前記のごとく、身頃の胴部両脇にタックを設けることにより、着付に際して身巾を着る人の胴部にフィットさせるべく、余った布を始末することが不要もしくは簡単になる。また、身丈を対丈とし、前身頃の胴部表面と上前身頃の胴部裏面に、一対のベルベット式ファスナーを取り付け、該ベルベット式ファスナーの係止により、前記着物を身体に適合させる構成を採ることにより、重ね合わせた上下前身頃をおはしょりを適当に皺を伸ばす等、始末しながら腰紐で締め上げるというテクニックを要する作業が不要となり、簡単に長着を着用することが可能となる。
【００１０】
前記本発明の前記胴部両脇のタックは、前身頃においては、前身頃の仕立て巾から（Wｃｍ＋１０ｃｍ/２）−４ｃｍの巾を差し引いた巾をひだとしてつまみ、胴部両脇、脇線から０．５〜１．５ｃｍ、好ましくは０．５〜１．０ｃｍの位置に、脇線に対して実質的に平行に７〜１４ｃｍ、好ましくは９〜１１ｃｍ、直線縫いをなすことにより、作製してよい。後身頃においては、後身頃の仕立て巾から（W＋１０ｃｍ）−{（W＋１０ｃｍ）/２−４ｃｍ}×１/２の巾を差し引いた巾をひだとしてつまみ、胴部両脇、脇線から１．５〜３．５ｃｍ、好ましくは２〜３ｃｍの位置に、脇線に対して実質的に平行に７〜１４ｃｍ、好ましくは９〜１１ｃｍ、直線縫いをなすことにより、作製してよい。前身頃のタックはおくみ側に、後身頃のタックは背側に倒し、綴じ付けてよい。
【００１１】
前身頃胴部のベルベット式ファスナーの取り付けについては、詳しくは、下前身頃の胴部表面、衿端から右脇線までの部分および上前身頃の胴部裏面、衿端から左脇線までの部分に、巾５〜１５ｃｍの一対のベルベット式ファスナーをそれぞれ縫い付けてよい。当該ベルベット式ファスナーは、当該衿端および脇線と限りなく接近して位置することが好ましい。即ち、下前身頃胴部表面の当該ベルベット式ファスナーは、衿端と、０〜０．２ｃｍ、好ましくは０〜０．１ｃｍ間隔を空けて、および上端角において右脇線と２〜３ｃｍ、好ましくは２．３〜２．８ｃｍの間隔を、下端角において右脇線と０．１〜１ｃｍ、好ましくは０．１〜０．７ｃｍの間隔を空けて位置する。上前身頃胴部裏面の当該ベルベット式ファスナーは、衿端と０．０５〜０．２ｃｍ、好ましくは０．０５〜０．１５ｃｍの間隔を空けて、および左脇線と０．２〜１．０ｃｍ、好ましくは０．２〜０．７ｃｍの間隔を空けて位置する。また、縫い上げを取った場合、前記ベルベット式ファスナーの上端を、縫い上げ位置と同じ高さかわずかにそれより上、例えば０．１〜０．２ｃｍ上に位置づける。長着の胴部への安定した装着を確保すべく、ベルベット式ファスナーの巾は太いほどよい。
【００１２】
本発明の長着は、前記のごとく、身丈が対丈であるが、着丈寸法の微調整のために、身八つ口の下３．５ｃｍ〜４．０ｃｍ、好ましくは３．７〜３．９ｃｍのところに、７ｃｍ〜８ｃｍ、好ましくは７．４〜７．８ｃｍの縫い上げを取った上での対丈であってもよい。上前身頃については、縫い上げにより形成されたおはしょり部分をベルベット式ファスナーで上から封じ留めてよい。縫い上げによってできた下前身頃および後ろ身頃のおはしょり部分は、身頃地にまつることにより始末してよい。かかる構成により、従来のおはしょりの始末が不要になる。
【００１３】
さらに、本発明の長着は、さらに、前記着物の肩山が、衿付け位置から４〜９ｃｍ、好ましくは７〜８ｃｍ位置まで裾に実質的に平行であり、その後肩先までダーツを設け、肩先部で、衿付け位置より０．８〜２ｃｍ、好ましくは１〜１．５ｃｍ下がった状態となっているものである。ダーツは、衿付け位置から４〜９ｃｍ、好ましくは７〜８ｃｍ位置から当該肩先部の衿付位置より所定の長さ下がった箇所まで、直線ないし好ましくは曲線縫いをなし、これにより生じたひだを前身頃側へ倒して、袖付けと同時に肩先に綴じつけることにより作製してよい。袖付寸法は、着る人の身長に合わせてよい。かかる構成により、長着の肩山が脇方向へとなだらかに下がり、長着上半身が装着者の上半身にフィットする。
【００１４】
さらに、本発明の長着は、身頃およびおくみ共、概ね単衣仕立てとし、身頃およびおくみ共、所定の箇所、例えば身頃に関しては裾から１０〜１３ｃｍ、好ましくは１１〜１２ｃｍのところおよび、おくみに関しては、例えば裾から９０〜１１０ｃｍ、好ましくは９５〜１０５ｃｍのところにのみ八掛を付けて袷としてよい。かかる八掛は、身頃およびおくみの裾部分共に、それぞれ０．４ｃｍのフキを出して取り付けてよい。
【００１５】
さらに本発明の長着は、袖口の一部のみに前記八掛生地と同じ生地の袖口布を取り付けてよい。袖口布は、巾[(袖口の長さ＋３〜６ｃｍ、好ましくは３〜５ｃｍ）×２]ｃｍ、丈４〜８ｃｍ、好ましくは５〜７ｃｍの大きさであってよい。かかる袖口布は、０．３ｃｍのフキを出して縫い付けてよい。
【００１６】
八掛および袖口布のかかる構成により、着用した際の美的外観上所望される箇所にはフキが出ている、軽量の長着が提供される。
【００１７】
衿はバチ衿としてよい。装着時、上下前身頃を重ねた際に、衿先が胴部脇線部分で嵩張ることのないよう、衿先は直角でなく、斜めにカットして衿先角度を１２０〜１５０°とした三角形状としてよく、好ましくは当該衿先角度は１３０〜１４０°である。かかる角度を有する衿先は、衿の生地の裁断時点で、衿先にそのような角度を持たせるべく裁断することにより作製してよい。
【００１８】
褄丈は着る人の身長に合わせてよい。例えば、１６０ｃｍの人で７４ｃｍ程度である。衿巾は、背中心が５．５〜６ｃｍに、剣先７．５〜８．０ｃｍ〜衿先７．５〜８．０ｃｍとしてよい。衿肩明は、背中心線から衿付位置まで１０〜１４ｃｍとし、背中心衿付位置の高さを肩山衿付位置から２〜３ｃｍ下げて、肩山衿付から背中心衿付位置にかけて丸みを持たせて衿を付けてよい。衿付付込は２〜３ｃｍとしてよい。くり越は、１．９〜３．８ｃｍであり、好ましくは２．５〜３．５ｃｍであり、着る人の体型に合わせる。身八つ口は１０〜１４ｃｍ、好ましくは１１〜１３ｃｍとしてよい。
【００１９】
重衿については、背中心が５．５〜６ｃｍのバチ衿とし、衿肩周りから衿先にかけて着物の衿より０．５〜０．８ｃｍ覗くように大きめに巾を取る。重衿は、形状保持のため、好ましくは、中に木綿の衿芯を端まで入れ、そしてさらに長襦袢用の着付け衿芯を入れてよい。重衿は、本体の着物の衿内側に、例えばスナップ等の留め具にて留めて着用してよい。重衿の長さは、着物本体の衿の長さに準じてよい。
【００２０】
本発明の簡易長着の装着法は、以下の通りである。まず、長着を羽織り、両肩に掛けてから袖を通す。衿先を両手でもち、上前身頃胴部裏面のベルベット式ファスナーのフック面と下前身頃胴部表面の対応するループ面を係止させて、長着を身体に装着する。
【発明の効果】
【００２１】
本発明に係る簡易長着は、おはしょりの処理等に手間取ることなく簡単に装着でき、体の形に沿い、かつ軽量であるので、従来品と比較して、気軽に着用することができる。
【発明を実施するための最良の形態】
【００２２】
以下、本発明の実施の形態を、図面に従い説明する。
図１〜図６に示したごとく、本発明の長着は、上(1)下(2)前身頃、後身頃(3)、おくみ(4)、袖(5)、衿(6)および重衿(7)により構成されている。図１〜図５に示す長着は、中肉中背の人のためのものであって、身丈が１３１ｃｍの対丈(8)となっている。前身頃の胴部両脇、脇線(9、10)から０．８ｃｍの位置(11)および後身頃の胴部両脇脇線(9、10)から２．５ｃｍの位置(12)に、脇線に対して実質的に平行なそれぞれ１０ｃｍ長のタックが設けてある。下前身頃(2)の胴部表面、衿端から右脇線(10)にかけて、１０ｃｍ巾のベルベット式ファスナーのループ面を、衿端から０．１ｃｍの間隔を空け、上端角において右脇線から２．５ｃｍおよび下端角において右脇線から０．５ｃｍの間隔を空けて縫い付けてある(13)。上前身頃(1)の胴部裏面、衿端から左脇線(9)にかけて、対応する１０ｃｍ巾のベルベット式ファスナーのフック面を、衿端から０．１ｃｍの間隔を空け、左脇線から０．５ｃｍの間隔を空けて縫い付けてある(14)。本実施例では、１２ｃｍ長の身八つ口(15)の下３．８ｃｍのところに７．６ｃｍの縫い上げ(16)を取ってある。衿付位置(17)から７．６ｃｍのところ(18)まで裾に実質的に平行であり、そこから肩先までダーツ(19)を取って、肩先部が衿付け位置より１．２ｃｍ下がっている(20)。おくみ下がり(21)は２０ｃｍである。おくみ部分(4)は縫い目かくしにより縫合されている。身頃の裾部の八掛(22)は、裾から１１．５ｃｍのところで身頃地に縫い付けてある。おくみの八掛(22)は、裾から１００ｃｍのところ(24)でおくみ地に縫い付けてある。長さ２０ｃｍの袖口(25)に、八掛地の袖口布（巾６ｃｍ、丈２４×２ｃｍ）(26)を取り付けてある。身頃およびおくみの八掛は０．４ｃｍのフキ(27)を、袖口布は０．３ｃｍのフキ(28)を出してある。衿(6)はバチ衿であり、衿先(29)に関し、衿先の角度は１３５°である。衿巾は、背中心５．７ｃｍに、剣先７．６ｃｍから衿先７．６ｃｍである。重衿(7)は、背中心５．７ｃｍのバチ衿であり、中に衿芯を端まで入れ、さらに長襦袢用の着付け衿芯(30)を入れて縫合してある。長着の衿と重衿は、着物の衿より０．７ｃｍ重衿が覗くようにして、スナップボタン(31)にて取り付け可能となっている。重衿の長さは、着物本体の衿の長さに準じてある。
【図面の簡単な説明】
【００２３】
【図１】図１は、重衿を付けた状態の本発明の長着の正面図である。
【図２】図２は、重衿を外した状態の本発明の長着の正面図である。
【図３】図３は、本発明の長着の背面図である。
【図４】図４は、本発明の長着の前身頃胴周り部分および衿部分の構造を示す図である。
【図５】図５は、本発明の長着の八掛を縫い付けた箇所を示す図である。
【図６】図６は、本発明の重衿の構造を示す図である。
【符号の説明】
【００２４】
１  上前身頃
２  下前身頃
３  後身頃
４  おくみ
５  袖
６  衿
７  重衿
８  身丈(対丈)
９  左脇線
１０  右脇線
１１  タック(前身頃側)
１２  タック(後身頃側)
１３  下前身頃胴部表面ベルベット式ファスナーループ面
１４  上前身頃胴部裏面ベルベット式ファスナーフック面
１５  身八つ口
１６  縫い上げ
１７  衿付位置
１８  衿付位置から７．６ｃｍのところ
１９  ダーツ
２０  肩先部の下がり
２１  おくみ下がり
２２  身頃裾部の八掛
２３  おくみ裾部の八掛
２４  おくみ八掛端
２５  袖口
２６  袖口布
２７  裾部フキ
２８  袖口部フキ
２９  衿先
３０  長襦袢用着付衿芯
３１  留め具
【図１】
2006028674.tif 000003
【図２】
2006028674.tif 000004
【図３】
2006028674.tif 000005
【図４】
2006028674.tif 000006
【図５】
2006028674.tif 000007
【図６】
2006028674.tif 000008